(57)【特許請求の範囲】
【請求項１】
直交周波数分割多重（ＯＦＤＭ）または直交周波数分割多元接続（ＯＦＤＭＡ）による無線通信のための方法であって、
時間順を持つ複数のデータ・バースト、および、ダウンリンク・マップ（ＤＬ−ＭＡＰ）を有するＯＦＤＭフレームまたはＯＦＤＭＡフレームを生成することと、ここで、中間の終了シンボルを有するデータ・バーストがもっと早い終了シンボルを有するデータ・バーストよりも早くなることおよびもっと遅い終了シンボルを有するデータ・バーストよりも遅くなることにならないように、前記データ・バーストが同じ開始シンボルを共有する場合に、前記データ・バーストの時間順は前記データ・バーストの終了シンボルに基づく、
データ・バーストを位置決めするための複数のＤＬ−ＭＡＰ情報要素（ＩＥ）を、前記データ・バーストと同じ時間順を前記ＤＬ−ＭＡＰにおいて有するように整えることと、
前記整えられたＤＬ−ＭＡＰ  ＩＥを持つＯＦＤＭフレームまたはＯＦＤＭＡフレームに基づいて信号を送信することと
を備える方法。
【請求項２】
前記データ・バーストの時間順は、前記データ・バーストの開始シンボルに基づく請求項１に記載の方法。
【請求項３】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項２に記載の方法。
【請求項４】
前記第１のＤＬ−ＭＡＰ  ＩＥは、前記第２のＤＬ−ＭＡＰ  ＩＥよりも早く、前記ＤＬ−ＭＡＰ内に整えられる請求項３に記載の方法。
【請求項５】
直交周波数分割多重（ＯＦＤＭ）または直交周波数分割多元接続（ＯＦＤＭＡ）による無線通信のためのコンピュータ読取可能な記録媒体であって、前記コンピュータ読取可能な記録媒体は、格納された命令群を有し、前記命令群は、１または複数のプロセッサによって実行されることが可能であり、前記命令群は、
時間順を持つ複数のデータ・バースト、および、ダウンリンク・マップ（ＤＬ−ＭＡＰ）を有するＯＦＤＭフレームまたはＯＦＤＭＡフレームを生成するための命令群と、ここで、中間の終了シンボルを有するデータ・バーストがもっと早い終了シンボルを有するデータ・バーストよりも早くなることおよびもっと遅い終了シンボルを有するデータ・バーストよりも遅くなることにならないように、前記データ・バーストが同じ開始シンボルを共有する場合に、前記データ・バーストの時間順は前記データ・バーストの終了シンボルに基づく、
データ・バーストを位置決めするための複数のＤＬ−ＭＡＰ情報要素（ＩＥ）を、データ・バーストと同じ時間順を前記ＤＬ−ＭＡＰにおいて有するように整えるための命令群と、
前記整えられたＤＬ−ＭＡＰ  ＩＥを持つＯＦＤＭフレームまたはＯＦＤＭＡフレームに基づいて信号を送信するための命令群と
を備えるコンピュータ読取可能な記録媒体。
【請求項６】
前記データ・バーストの時間順は、前記データ・バーストの開始シンボルに基づく請求項５に記載のコンピュータ読取可能な記録媒体。
【請求項７】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項６に記載のコンピュータ読取可能な記録媒体。
【請求項８】
前記第１のＤＬ−ＭＡＰ  ＩＥは、前記第２のＤＬ−ＭＡＰ  ＩＥよりも早く、前記ＤＬ−ＭＡＰ内に整えられる請求項７に記載のコンピュータ読取可能な記録媒体。
【請求項９】
直交周波数分割多重（ＯＦＤＭ）または直交周波数分割多元接続（ＯＦＤＭＡ）による無線通信のための装置であって、
時間順を持つ複数のデータ・バースト、および、ダウンリンク・マップ（ＤＬ−ＭＡＰ）を有するＯＦＤＭフレームまたはＯＦＤＭＡフレームを生成する手段と、ここで、中間の終了シンボルを有するデータ・バーストがもっと早い終了シンボルを有するデータ・バーストよりも早くなることおよびもっと遅い終了シンボルを有するデータ・バーストよりも遅くなることにならないように、前記データ・バーストが同じ開始シンボルを共有する場合に、前記データ・バーストの時間順は前記データ・バーストの終了シンボルに基づく、
データ・バーストを位置決めするための複数のＤＬ−ＭＡＰ情報要素（ＩＥ）を、データ・バーストと同じ時間順を前記ＤＬ−ＭＡＰにおいて有するように整える手段と、
前記整えられたＤＬ−ＭＡＰ  ＩＥを持つＯＦＤＭフレームまたはＯＦＤＭＡフレームに基づいて信号を送信する手段と
を備える装置。
【請求項１０】
前記データ・バーストの時間順は、前記データ・バーストの開始シンボルに基づく請求項９に記載の装置。
【請求項１１】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項１０に記載の装置。
【請求項１２】
前記第１のＤＬ−ＭＡＰ  ＩＥは、前記第２のＤＬ−ＭＡＰ  ＩＥよりも早く、前記ＤＬ−ＭＡＰ内に整えられる請求項１１に記載の装置。
【請求項１３】
直交周波数分割多重（ＯＦＤＭ）または直交周波数分割多元接続（ＯＦＤＭＡ）による無線通信のための無線デバイスであって、
時間順を持つ複数のデータ・バースト、および、ダウンリンク・マップ（ＤＬ−ＭＡＰ）を有するＯＦＤＭフレームまたはＯＦＤＭＡフレームを生成するためのロジックと、ここで、中間の終了シンボルを有するデータ・バーストがもっと早い終了シンボルを有するデータ・バーストよりも早くなることおよびもっと遅い終了シンボルを有するデータ・バーストよりも遅くなることにならないように、前記データ・バーストが同じ開始シンボルを共有する場合に、前記データ・バーストの時間順は前記データ・バーストの終了シンボルに基づく、
データ・バーストを位置決めするための複数のＤＬ−ＭＡＰ情報要素（ＩＥ）を、データ・バーストと同じ時間順を前記ＤＬ−ＭＡＰにおいて有するように整えるためのロジックと、
前記整えられたＤＬ−ＭＡＰ  ＩＥを持つＯＦＤＭフレームまたはＯＦＤＭＡフレームに基づいて信号を送信するように構成された送信機フロント・エンドと
を備える無線デバイス。
【請求項１４】
前記データ・バーストの時間順は、前記データ・バーストの開始シンボルに基づく請求項１３に記載の無線デバイス。
【請求項１５】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項１４に記載の無線デバイス。
【請求項１６】
前記第１のＤＬ−ＭＡＰ  ＩＥは、前記第２のＤＬ−ＭＡＰ  ＩＥよりも早く、前記ＤＬ−ＭＡＰ内に整えられる請求項１５に記載の無線デバイス。
【請求項１７】
直交周波数分割多重（ＯＦＤＭ）または直交周波数分割多元接続（ＯＦＤＭＡ）による無線通信の方法であって、
１または複数のデータ・バーストおよびダウンリンク・マップ（ＤＬ−ＭＡＰ）を有するＯＦＤＭフレームまたはＯＦＤＭＡフレームに基づいて信号を受信することと、
含まれる１または複数のＤＬ−ＭＡＰ情報要素（ＩＥ）を判定するために前記ＤＬ−ＭＡＰを解析することと、
前記ＤＬ−ＭＡＰのうちの少なくとも一部を解析しながら、前記ＤＬ−ＭＡＰ  ＩＥに基づいてデータ・バーストを復号することと
を備える方法。
【請求項１８】
前記ＤＬ−ＭＡＰ  ＩＥは、前記データ・バーストに時間的に対応している請求項１７に記載の方法。
【請求項１９】
前記ＤＬ−ＭＡＰ  ＩＥは、前記データ・バーストの開始シンボルに基づいて前記データ・バーストに時間的に対応している請求項１８に記載の方法。
【請求項２０】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項１９に記載の方法。
【請求項２１】
前記第１のＤＬ−ＭＡＰ  ＩＥは、前記第２のＤＬ−ＭＡＰ  ＩＥよりも早く、前記ＤＬ−ＭＡＰ内に整えられる請求項２０に記載の方法。
【請求項２２】
前記ＤＬ−ＭＡＰ  ＩＥは、前記データ・バーストの終了シンボルに基づいて前記データ・バーストに時間的に対応している請求項１８に記載の方法。
【請求項２３】
前記データ・バーストから正しく復号されたデータを格納することと、
巡回冗長検査（ＣＲＣ）に合格した場合、前記格納されたデータを、１または複数のオープン・システム・インタコネクション（ＯＳＩ）基準モデル・レイヤに転送することと、
前記ＣＲＣに不合格になった場合、前記格納されたデータを破棄することと
をさらに備える請求項１７に記載の方法。
【請求項２４】
直交周波数分割多重（ＯＦＤＭ）または直交周波数分割多元接続（ＯＦＤＭＡ）による無線通信のためのコンピュータ読取可能な記録媒体であって、前記コンピュータ読取可能な記録媒体は、格納された命令群を有し、前記命令群は、１または複数のプロセッサによって実行されることが可能であり、前記命令群は、
１または複数のデータ・バーストおよびダウンリンク・マップ（ＤＬ−ＭＡＰ）を有するＯＦＤＭフレームまたはＯＦＤＭＡフレームに基づいて信号を受信するための命令群と、
データ・バーストを位置決めするために含まれる１または複数のＤＬ−ＭＡＰ情報要素（ＩＥ）を判定するために、前記ＤＬ−ＭＡＰを解析するための命令群と、
前記ＤＬ−ＭＡＰのうちの少なくとも一部を解析しながら、前記ＤＬ−ＭＡＰ  ＩＥに基づいてデータ・バーストを復号するための命令群と
を備えるコンピュータ読取可能な記録媒体。
【請求項２５】
前記ＤＬ−ＭＡＰ  ＩＥは、前記データ・バーストに時間的に対応している請求項２４に記載のコンピュータ読取可能な記録媒体。
【請求項２６】
前記ＤＬ−ＭＡＰ  ＩＥは、前記データ・バーストの開始シンボルに基づいて前記データ・バーストに時間的に対応している請求項２５に記載のコンピュータ読取可能な記録媒体。
【請求項２７】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項２６に記載のコンピュータ読取可能な記録媒体。
【請求項２８】
前記第１のＤＬ−ＭＡＰ  ＩＥは、前記第２のＤＬ−ＭＡＰ  ＩＥよりも早く、前記ＤＬ−ＭＡＰ内に整えられる請求項２７に記載のコンピュータ読取可能な記録媒体。
【請求項２９】
前記ＤＬ−ＭＡＰ  ＩＥは、前記データ・バーストの終了シンボルに基づいて前記データ・バーストに時間的に対応している請求項２５に記載のコンピュータ読取可能な記録媒体。
【請求項３０】
前記データ・バーストから正しく復号されたデータを格納するための命令群と、
巡回冗長検査（ＣＲＣ）に合格した場合、前記格納されたデータを、１または複数のオープン・システム・インタコネクション（ＯＳＩ）基準モデル・レイヤに転送するための命令群と、
前記ＣＲＣに不合格になった場合、前記格納されたデータを破棄するための命令群と
をさらに備える請求項２４に記載のコンピュータ読取可能な記録媒体。
【請求項３１】
直交周波数分割多重（ＯＦＤＭ）または直交周波数分割多元接続（ＯＦＤＭＡ）による無線通信のための装置であって、
１または複数のデータ・バーストおよびダウンリンク・マップ（ＤＬ−ＭＡＰ）を有するＯＦＤＭフレームまたはＯＦＤＭＡフレームに基づいて信号を受信する手段と、
データ・バーストを位置決めするために含まれる１または複数のＤＬ−ＭＡＰ情報要素（ＩＥ）を判定するために、前記ＤＬ−ＭＡＰを解析する手段と、
前記ＤＬ−ＭＡＰのうちの少なくとも一部を解析しながら、前記ＤＬ−ＭＡＰ  ＩＥに基づいてデータ・バーストを復号する手段と
を備える装置。
【請求項３２】
前記ＤＬ−ＭＡＰ  ＩＥは、前記データ・バーストに時間的に対応している請求項３１に記載の装置。
【請求項３３】
前記ＤＬ−ＭＡＰ  ＩＥは、前記データ・バーストの開始シンボルに基づいて前記データ・バーストに時間的に対応している請求項３２に記載の装置。
【請求項３４】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項３３に記載の装置。
【請求項３５】
前記第１のＤＬ−ＭＡＰ  ＩＥは、前記第２のＤＬ−ＭＡＰ  ＩＥよりも早く、前記ＤＬ−ＭＡＰ内に整えられる請求項３４に記載の装置。
【請求項３６】
前記ＤＬ−ＭＡＰ  ＩＥは、前記データ・バーストの終了シンボルに基づいて前記データ・バーストに時間的に対応している請求項３２に記載の装置。
【請求項３７】
前記データ・バーストから正しく復号されたデータを格納する手段と、
巡回冗長検査（ＣＲＣ）に合格した場合、前記格納されたデータを、１または複数のオープン・システム・インタコネクション（ＯＳＩ）基準モデル・レイヤに転送する手段と、
前記ＣＲＣに不合格になった場合、前記格納されたデータを破棄する手段と
をさらに備える請求項３１に記載の装置。
【請求項３８】
直交周波数分割多重（ＯＦＤＭ）または直交周波数分割多元接続（ＯＦＤＭＡ）による無線通信のための無線デバイスであって、
１または複数のデータ・バーストおよびダウンリンク・マップ（ＤＬ−ＭＡＰ）を有するＯＦＤＭフレームまたはＯＦＤＭＡフレームに基づいて信号を受信するように構成された受信機フロント・エンドと、
データ・バーストを位置決めするために含まれる１または複数のＤＬ−ＭＡＰ情報要素（ＩＥ）を判定するために、前記ＤＬ−ＭＡＰを解析するように構成されたＭＡＰパーサと、
前記ＤＬ−ＭＡＰのうちの少なくとも一部を解析しながら、前記ＤＬ−ＭＡＰ  ＩＥに基づいてデータ・バーストを復号するように構成されたデータ・バースト・デコーダと
を備える無線デバイス。
【請求項３９】
前記ＤＬ−ＭＡＰ  ＩＥは、前記データ・バーストに時間的に対応している請求項３８に記載の無線デバイス。
【請求項４０】
前記ＤＬ−ＭＡＰ  ＩＥは、前記データ・バーストの開始シンボルに基づいて前記データ・バーストに時間的に対応している請求項３９に記載の無線デバイス。
【請求項４１】
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられる請求項４０に記載の無線デバイス。
【請求項４２】
前記第１のＤＬ−ＭＡＰ  ＩＥは、前記第２のＤＬ−ＭＡＰ  ＩＥよりも早く、前記ＤＬ−ＭＡＰ内に整えられる請求項４１に記載の無線デバイス。
【請求項４３】
前記ＤＬ−ＭＡＰ  ＩＥは、前記データ・バーストの終了シンボルに基づいて前記データ・バーストに時間的に対応している請求項３９に記載の無線デバイス。
【請求項４４】
前記データ・バーストから正しく復号されたデータを格納するためのメモリと、
巡回冗長検査（ＣＲＣ）に合格した場合、前記格納されたデータを、１または複数のオープン・システム・インタコネクション（ＯＳＩ）基準モデル・レイヤに転送するためのロジックと、
前記ＣＲＣに不合格になった場合、前記格納されたデータを破棄するためのロジックと
をさらに備える請求項３８に記載の無線デバイス。
【発明の詳細な説明】
【技術分野】
【０００１】
本開示の実施形態は、一般に、無線通信に関し、さらに詳しくは、直交周波数分割多重化（ＯＦＤＭ）フレームまたは直交周波数分割多元接続（ＯＦＤＭＡ）フレームのダウンリンク（ＤＬ）−ＭＡＰ処理に関する。
【発明の概要】
【０００２】
本開示のある実施形態は、一般に、直交周波数分割多重化（ＯＦＤＭ）フレームまたは直交周波数分割多元接続（ＯＦＤＭＡ）フレームのストリームライン化されたダウンリンク（ＤＬ）−ＭＡＰ処理に関する。データ・バーストを位置決めするためのＤＬ−ＭＡＰ情報要素（ＩＥ）が、ＤＬ−ＭＡＰにおいて、基地局（ＢＳ）におけるＯＦＤＭフレームまたはＯＦＤＭＡフレーム内の対応するＤＬデータ・バーストと同じ時間順を持つように整えることによって、このフレームを受信するユーザ端末は、ＤＬ−ＭＡＰ  ＩＥのすべてが解析され復号されるまで待つ必要なく、フレーム内のデータ・バーストを復号することができる。このように、フレーム毎の全体処理時間が短縮され、ＤＬ−ＭＡＰを解析するための、および／または、データ・バーストを復号するための時間制約が緩和されうる。
【０００３】
本開示のある実施形態は、ＯＦＤＭまたはＯＦＤＭＡによる無線通信のための方法を提供する。この方法は一般に、時間順を持つ複数のデータ・バースト、および、ＤＬ−ＭＡＰを有するＯＦＤＭフレームまたはＯＦＤＭＡフレームを生成することと、データ・バーストを位置決めするための複数のＤＬ−ＭＡＰ  ＩＥを、データ・バーストと同じ時間順をＤＬ−ＭＡＰにおいて有するように整えることと、整えられたＤＬ−ＭＡＰ  ＩＥを持つＯＦＤＭフレームまたはＯＦＤＭＡフレームに基づいて信号を送信することとを含む。
【０００４】
本開示のある実施形態は、ＯＦＤＭまたはＯＦＤＭＡによる無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は、一般に、時間順を持つ複数のデータ・バースト、および、ＤＬ−ＭＡＰを有するＯＦＤＭフレームまたはＯＦＤＭＡフレームを生成するための命令群と、データ・バーストを位置決めするための複数のＤＬ−ＭＡＰ  ＩＥを、データ・バーストと同じ時間順をＤＬ−ＭＡＰにおいて有するように整えるための命令群と、整えられたＤＬ−ＭＡＰ  ＩＥを持つＯＦＤＭフレームまたはＯＦＤＭＡフレームに基づいて信号を送信するための命令群とを含む。
【０００５】
本開示のある実施形態は、ＯＦＤＭまたはＯＦＤＭＡによる無線通信のための装置を提供する。この装置は、一般に、時間順を持つ複数のデータ・バースト、および、ＤＬ−ＭＡＰを有するＯＦＤＭフレームまたはＯＦＤＭＡフレームを生成する手段と、データ・バーストを位置決めするための複数のＤＬ−ＭＡＰ  ＩＥを、データ・バーストと同じ時間順をＤＬ−ＭＡＰにおいて有するように整える手段と、整えられたＤＬ−ＭＡＰ  ＩＥを持つＯＦＤＭフレームまたはＯＦＤＭＡフレームに基づいて信号を送信する手段とを含む。
【０００６】
本開示のある実施形態は、ＯＦＤＭまたはＯＦＤＭＡによる無線通信のための基地局を提供する。基地局は、一般に、時間順を持つ複数のデータ・バースト、および、ＤＬ−ＭＡＰを有するＯＦＤＭフレームまたはＯＦＤＭＡフレームを生成するためのロジックと、データ・バーストを位置決めするための複数のＤＬ−ＭＡＰ  ＩＥを、データ・バーストと同じ時間順をＤＬ−ＭＡＰにおいて有するように整えるためのロジックと、整えられたＤＬ−ＭＡＰ  ＩＥを持つＯＦＤＭフレームまたはＯＦＤＭＡフレームに基づいて信号を送信するように構成された送信機フロント・エンドとを含む。
【０００７】
本開示のある実施形態は、ＯＦＤＭまたはＯＦＤＭＡによる無線通信の方法を提供する。この方法は、一般に、１または複数のデータ・バーストおよびＤＬ−ＭＡＰを有するＯＦＤＭフレームまたはＯＦＤＭＡフレームに基づいて信号を受信することと、含まれる１または複数のＤＬ−ＭＡＰ  ＩＥを判定するためにＤＬ−ＭＡＰを解析することと、ＤＬ−ＭＡＰのうちの少なくとも一部を解析しながら、ＤＬ−ＭＡＰ  ＩＥに基づいてデータ・バーストを復号することとを含む。
【０００８】
本開示のある実施形態は、ＯＦＤＭまたはＯＦＤＭＡによる無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は、一般に、１または複数のデータ・バーストおよびＤＬ−ＭＡＰを有するＯＦＤＭフレームまたはＯＦＤＭＡフレームに基づいて信号を受信するための命令群と、データ・バーストを位置決めするために含まれる１または複数のＤＬ−ＭＡＰ  ＩＥを判定するために、ＤＬ−ＭＡＰを解析するための命令群と、ＤＬ−ＭＡＰのうちの少なくとも一部を解析しながら、ＤＬ−ＭＡＰ  ＩＥに基づいてデータ・バーストを復号するための命令群とを含む。
【０００９】
現在の開示のある実施形態は、ＯＦＤＭまたはＯＦＤＭＡによる無線通信のための装置を提供する。この装置は、一般に、１または複数のデータ・バーストおよびＤＬ−ＭＡＰを有するＯＦＤＭフレームまたはＯＦＤＭＡフレームに基づいて信号を受信する手段と、データ・バーストを位置決めするために含まれる１または複数のＤＬ−ＭＡＰ  ＩＥを判定するために、ＤＬ−ＭＡＰを解析する手段と、ＤＬ−ＭＡＰのうちの少なくとも一部を解析しながら、ＤＬ−ＭＡＰ  ＩＥに基づいてデータ・バーストを復号する手段とを含む。
【００１０】
本開示のある実施形態は、モバイル・デバイスを提供する。このモバイル・デバイスは、一般に、１または複数のデータ・バーストおよびＤＬ−ＭＡＰを有するＯＦＤＭフレームまたはＯＦＤＭＡフレームに基づいて信号を受信するように構成された受信機フロント・エンドと、データ・バーストを位置決めするために含まれる１または複数のＤＬ−ＭＡＰ  ＩＥを判定するために、ＤＬ−ＭＡＰを解析するように構成されたＭＡＰパーサと、ＤＬ−ＭＡＰのうちの少なくとも一部を解析しながら、ＤＬ−ＭＡＰ  ＩＥに基づいてデータ・バーストを復号するように構成されたデータ・バースト・デコーダとを含む。
【００１１】
本開示のある実施形態は、例えば、ＯＦＤＭフレームまたはＯＦＤＭＡフレームは、米国電気電子学会（ＩＥＥＥ）８０２．１６規格ファミリの１または複数の規格にしたがうフォーマットを有する、前述した発明の概要のパラグラフで示される。
【図面の簡単な説明】
【００１２】
本開示の上記した特徴を詳細に理解できる形式のために、上記要約されたより具体的な説明を、その一部が添付図面に示された実施形態を参照することによって行うことができる。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態にしたがう無線通信システムを例示する。
【図２】図２は、本開示のある種の実施形態にしたがって無線デバイス内で利用されうるさまざまな構成要素を例示する。
【図３】図３は、本開示のある種の実施形態による、直交周波数分割多重および直交周波数分割多元接続（ＯＦＤＭ／ＯＦＤＭＡ）技術を利用する無線通信システム内で使用できる送信機および受信機を例示する。
【図４Ａ】図４Ａは、本開示のある実施形態にしたがって、時分割デュプレクス（ＴＤＤ）のＯＦＤＭ／ＯＦＤＭＡフレームと、これに含まれ、ダウンリンク・フレーム・プレフィクス（ＤＬＦＰ）情報を含むフレーム制御ヘッダ（ＦＣＨ）のフォーマットとの例を示す。
【図４Ｂ】図４Ｂは、本開示のある実施形態にしたがって、時分割デュプレクス（ＴＤＤ）のＯＦＤＭ／ＯＦＤＭＡフレームと、これに含まれ、ダウンリンク・フレーム・プレフィクス（ＤＬＦＰ）情報を含むフレーム制御ヘッダ（ＦＣＨ）のフォーマットとの例を示す。
【図５Ａ】図５Ａは、本開示のある実施形態にしたがって、一般的なＤＬ−ＭＡＰ情報要素（ＩＥ）を持つダウンリンク・マップ（ＤＬ−ＭＡＰ）メッセージにおけるエントリのフォーマットおよびビット・サイズを例示する。
【図５Ｂ】図５Ｂは、本開示のある実施形態にしたがって、一般的なＤＬ−ＭＡＰ情報要素（ＩＥ）を持つダウンリンク・マップ（ＤＬ−ＭＡＰ）メッセージにおけるエントリのフォーマットおよびビット・サイズを例示する。
【図６】図６は、本開示のある実施形態にしたがって、ＤＬ−ＭＡＰ  ＩＥがＤＬ−ＭＡＰ内の任意の順序で整えられ、ＤＬデータ・バーストの時間順に対応しないＤＬサブフレームの例を示す。
【図７】図７は、本開示のある実施形態にしたがって、フレーム内のＤＬデータ・バーストに時間的に対応するＤＬ−ＭＡＰ  ＩＥを有するＯＦＤＭ／ＯＦＤＭＡフレームを送信するための動作例のフロー・チャートである。
【図７Ａ】図７Ａは、本開示のある実施形態にしたがって、フレーム内のＤＬデータ・バーストに時間的に対応するＤＬ−ＭＡＰ  ＩＥを有するＯＦＤＭ／ＯＦＤＭＡフレームを送信するための図７の動作例に対応する手段のブロック図である。
【図８】図８は、本開示のある実施形態にしたがって、ＤＬ−ＭＡＰ  ＩＥが、ＤＬデータ・バーストの時間順に対応するようにＤＬ−ＭＡＰ内に整えられたＤＬサブフレームの例を図示する。
【図９】図９は、本開示のある実施形態にしたがって、ＯＦＤＭ／ＯＦＤＭＡフレームのＤＬ−ＭＡＰを解析しながら、ＤＬデータ・バースト復号を実行するための動作例のフロー・チャートである。
【図９Ａ】図９Ａは、本開示のある実施形態にしたがって、ＯＦＤＭ／ＯＦＤＭＡフレームのＤＬ−ＭＡＰを解析しながら、ＤＬデータ・バースト復号を実行するための図９の動作例に対応する手段のブロック図である。
【図１０】図１０は、本開示のある実施形態にしたがって、ＤＬ−ＭＡＰ解析およびデータ・バースト復号のための図３の受信機の例の追加の信号処理要素の例を図示する。
【図１１】図１１は、本開示のある実施形態にしたがって、ＤＬ−ＭＡＰのＤＬ−ＭＡＰ  ＩＥを解析しながら、データ・バーストを復号するための詳細な動作例のフロー・チャートである。
【図１２】図１２は、本開示のある実施形態にしたがって、ユーザ端末がＤＬ−ＭＡＰ  ＩＥを同時に解析しながらデータ・バースト復号を実行できるように、基地局において、ＤＬ−ＭＡＰ  ＩＥを、ＤＬデータ・バーストに時間的に対応するように整えることの処理速度の利点を例示する。
【発明を実施するための形態】
【００１３】
ＩＥＥＥ  ８０２．１６の下のＯＦＤＭ無線通信システムおよびＯＦＤＭＡ無線通信システムは、複数のサブキャリアの周波数の直交性に基づいてシステム内のサービスについて登録された無線デバイス（すなわち、移動局）と通信するために基地局のネットワークを使用し、マルチパス・フェージングおよび干渉に対する抵抗など、広帯域無線通信に関する複数の技術的利点を達成するために実施され得る。各基地局（ＢＳ）は、移動局との間でデータを伝送するラジオ周波数（ＲＦ）信号を送信し、受信する。基地局からのそのようなＲＦ信号は、さまざまな通信管理機能のために、データ・ロード（音声およびその他のデータ）に加えて、オーバヘッド・ロードを含む。各移動局は、データを処理する前に、各受信信号のオーバヘッド・ロード内の情報を処理する。
【００１４】
ＯＦＤＭＡシステムのためのＩＥＥＥ８０２．１６ｘ規格の現在のバージョンの下では、基地局からのすべてのダウンリンク・サブフレームが、プリアンブル、プリアンブルに続くフレーム制御ヘッダ（ＦＣＨ）、ＦＣＨに続くオーバヘッド・ロードの一部としてのダウンリンク・マップ（ＤＬ−ＭＡＰ）を含む。プリアンブルは、セルおよびセル内のセル・セクタを探索するための情報、および、時間と周波数との両方で移動局を受信ダウンリンク信号と同期させるための情報を含む。ダウンリンク・サブフレームのＦＣＨ部分は、ダウンリンク伝送フォーマットに関する情報（例えば、ＤＬ−ＭＡＰ）およびダウンリンク・データ受信のための制御情報（例えば、現在のダウンリンク・フレーム内のサブキャリアの割当て）を備えた２４ビットを含む。ＤＬ−ＭＡＰは、ＯＦＤＭ／ＯＦＤＭＡフレームでＤＬデータ・バーストが正しく復号されるように、ダウンリンク・データ領域割当およびバースト・プロファイル情報を指定する。第１のＤＬデータ・バーストは、一般に、フレーム毎ベースで、アップリンク送信について同じ割当およびバースト・プロファイル情報を含むアップリンク・マップ（ＵＬ−ＭＡＰ）である。
【００１５】
したがって、例えば移動局のような受信機は、先ず、ＤＬ−ＭＡＰの位置を判定するためにＦＣＨを復号し、対応する位置のＤＬ−ＭＡＰを復号し、フレーム内のデータ・バーストの割当を判定し、データ・バーストを復号し、データを抽出する。ＤＬ−ＭＡＰ内の情報の性質により、ＤＬ−ＭＡＰの受信に失敗するか、あるいは、ＤＬ−ＭＡＰが誤って復号された場合、受信機側におけるその後のダウンリンク動作は、適切に実行されない。したがって、ＤＬ−ＭＡＰの適切な解釈は、ＯＦＤＭシステムおよびＯＦＤＭＡシステムの動作に重要である。
【００１６】
本開示のある実施形態は、直交周波数分割多重化（ＯＦＤＭ）フレームまたは直交周波数分割多元接続（ＯＦＤＭＡ）フレームのダウンリンク（ＤＬ）サブフレームを処理するための技術および装置を提供する。基地局（ＢＳ）において、ＤＬサブフレームのＤＬ−ＭＡＰ内のＤＬ−ＭＡＰ情報要素（ＩＥ）を、ＯＦＤＭフレームまたはＯＦＤＭＡフレーム内の関連付けられたデータ・バーストの構成に時間順に対応するように整えることによって、このフレームを受信するユーザ端末は、ＤＬ−ＭＡＰ  ＩＥのすべてが解析され復号されるまで待つ必要なく、ＤＬサブフレーム内のデータ・バーストの復号を開始することができる。このように、ユーザ端末は、ＤＬ−ＭＡＰの残りの部分を同時に解析しながら、データ・バーストを復号し、フレーム全体を処理するための時間が短縮される。これによって、処理速度が高められる。
【００１７】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１８】
直交多重化スキーム基づく通信システムの一例は、ＷｉＭＡＸシステムである。Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを示すＷｉＭＡＸは、長距離にわたる高スループット・ブロードバンド接続を提供する規格ベースのブロードバンド無線技術である。今日、ＷｉＭＡＸの２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば家庭および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００１９】
ＩＥＥＥ  ８０２．１６ｘは、固定式およびモバイルのブロードバンド無線アクセス（ＢＷＡ）システム用のエア・インタフェースを定義するための新生の規格体系である。これら規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２０】
図１は、無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、代わりに、アクセス・ポイント、ノードＢ、またはその他いくつかの用語で称されうる。
【００２１】
図１は、システム１００全体に散在するさまざまなユーザ端末１０６を示す。ユーザ端末１０６は、固定式（すなわち、据え置き式）またはモバイルでありうる。ユーザ端末１０６を、代わりに、遠隔局、アクセス端末、端末、加入者ユニット、移動局、局、ユーザ機器等と称することができる。ユーザ端末１０６は、例えばセルラ電話、携帯情報端末（ＰＤＡ）、ハンドヘルド・デバイス、無線通信モデム、ラップトップ・コンピュータ、パーソナル・コンピュータ（ＰＣ）等のような無線デバイスでありうる。
【００２２】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２３】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されうる。あるいは、ダウンリンク１０８を、順方向リンクまたは順方向チャネルと称したり、アップリンク１１０を、逆方向リンクまたは逆方向チャネルと称する場合がある。
【００２４】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２５】
図２は、無線デバイス２０２において利用されうるさまざまな構成要素を例示する。無線デバイス２０２は、本明細書で説明されるさまざまな方法を実施するために構成され得るデバイスの例である。無線デバイス２０２は、基地局１０４またはユーザ端末１０６でありうる。
【００２６】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２７】
無線デバイス２０２は、無線デバイス２０２と遠隔位置との間でのデータの伝送および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２８】
無線デバイス２０２は、トランシーバ２１４によって受信された信号を検出し、そのレベルを定量化する目的で使用される信号検出器２１８をも含むことができる。信号検出器２１８は、総エネルギ、パイロット・サブキャリアからのパイロット・エネルギまたはプリアンブル・シンボルからの信号エネルギ、電力スペクトル密度、および他の信号などの信号を検出することができる。無線デバイス２０２は、信号を処理する際に使用されるデジタル信号プロセッサ（ＤＳＰ）２２０をも含むことができる。
【００２９】
無線デバイス２０２のさまざまな構成要素を、データ・バスに加えて電力バス、制御信号バス、およびステータス信号バスを含むことができるバス・システム２２２によってともに結合することができる。
【００３０】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３１】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３２】
Ｎ個の並列データ・ストリーム３１０は次に、マッパ３１２に入力として供給されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３３】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３４】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３５】
図３はまた、ＯＦＤＭ／ＯＦＤＭＡを利用する無線通信システム１００内で使用できる送信機３０４を例示している。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３６】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３７】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３８】
デマッパ３１２’は、マッパ３１２によって実行されたシンボル・マッピング動作の逆を実行し、これによって、Ｎ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。
【００３９】
（典型的なＯＦＤＭ／ＯＦＤＭＡフレーム）  
図４Ａを参照して、時分割デュプレクス（ＴＤＤ）実施のためのＯＦＤＭ／ＯＦＤＭＡフレーム４００が、限定ではなく、一般的な例として図示されている。例えばフル・デュプレクスおよびハーフ・デュプレクスの周波数分割デュプレクス（ＦＤＤ）のようなＯＦＤＭ／ＯＦＤＭＡフレームの他の実施も使用されうる。この場合、フレームは、ダウンリンク（ＤＬ）メッセージとアップリンク（ＵＬ）メッセージとの両方が、異なるキャリアによって同時に送信されるという点を除いて同じである。ＴＤＤ実施では、おのおののフレームは、ＤＬ送信とＵＬ送信との衝突を回避するために、小さなガード・インタバル４０６によって分離される、さらに詳しくは、送信／受信ギャップおよび受信／送信ギャップ（ＴＴＧおよびＲＴＧ）によって分離される、ＤＬサブフレーム４０２とＵＬサブフレーム４０４とに分割される。ＤＬ対ＵＬのサブフレーム比は、異なるトラフィック・プロファイルをサポートするために、３：１から１：１へ変動しうる。
【００４０】
ＯＦＤＭ／ＯＦＤＭＡフレーム４００内には、さまざまな制御情報が含まれうる。例えば、フレーム４００の最初のＯＦＤＭ／ＯＦＤＭＡシンボルは、同期のために使用されるいくつかのパイロット信号（パイロット）を含みうるプリアンブル４０８でありうる。プリアンブル４０８内の固定されたパイロット・シーケンスによって、受信機３０４は、周波数誤りおよび位相誤りを推定し、送信機３０２に同期できるようになる。さらに、無線チャネルの推定および等値化のために、プリアンブル４０８内の固定パイロット・シーケンスが利用されうる。プリアンブル４０８は、ＢＰＳＫ変調されたキャリアを含む。これは、一般には、１つのＯＦＤＭシンボルの長さである。プリアンブル４０８のキャリアは、電力が高められており、ＷｉＭＡＸ信号におけるデータ部の周波数領域における電力レベルよりも一般に数デシベル（ｄＢ）（例えば、９ｄＢ）高い。使用されるプリアンブル・キャリアの番号は、ゾーンの３つのセグメントのうちのいずれが使用されているかを示すことができる。例えば、キャリア０、３、６、・・・は、セグメント０が使用されるべきであることを示し、キャリア１、４、７、・・・は、セグメント１が使用されるべきであることを示し、キャリア２、５、８、・・・は、セグメント２が使用されるべきであることを示す。
【００４１】
フレーム制御ヘッダ（ＦＣＨ）４１０が、プリアンブル４０８に続く。ＦＣＨ４１０は、例えば利用可能なサブチャネル、変調および符号化スキーム、ならびに、現在のＯＦＤＭ／ＯＦＤＭＡフレームのＭＡＰメッセージ長さのようなフレーム設定情報を提供する。例えば、ダウンリンク・フレーム・プレフィクス（ＤＬＦＰ）４１２のように、フレーム設定情報を概説するデータ構成が、ＦＣＨ４１０にマップされる。
【００４２】
図４Ｂに例示するように、モバイルＷｉＭＡＸのＤＬＦＰ４１２は、ＤＬＦＰ４１２内の合計２４ビットについて、使用されたサブチャネル（ＳＣＨ）ビットマップのための６ビット４１２ａと、０に設定された予約１ビット４１２ｂと、反復符号化インジケーションのための２ビット４１２ｃと、符号化インジケーションのための３ビット４１２ｄと、ＭＡＰメッセージ長さのための８ビット４１２ｅと、０に設定された予約４ビット４１２ｆとを備える。ＦＣＨ４１０にマップされる前に、２４ビットのＤＬＦＰが複製されて、４８ビット・ブロックを形成する。これは、最小のフォワード誤り訂正（ＦＥＣ）ブロック・サイズである。
【００４３】
ＦＣＨ４１０、ＤＬ−ＭＡＰ４１４、およびＵＬ−ＭＡＰ４１６の後に、ＤＬサブフレーム４０２およびＵＬサブフレーム４０４のデータ・バースト割当およびその他の制御情報を指定することができる。ＯＦＤＭＡの場合、複数のユーザに、フレーム内にデータ領域が割り当てられる。そして、これらの割当は、ＤＬ−ＭＡＰメッセージ４１４およびＵＬ−ＭＡＰメッセージ４１６において指定される。これらＭＡＰメッセージは、特定のリンクにおいて使用される変調および符号化スキームを規定する、おのおのユーザのバースト・プロファイルを含む。ＭＡＰメッセージは、すべてのユーザに届く必要のある重要な情報を含んでいるので、ＤＬ−ＭＡＰメッセージ４１４およびＵＬ−ＭＡＰメッセージ４１６は、しばしば、１／２符号化および反復符号化を用いたＢＰＳＫまたはＱＰＳＫのような、非常に信頼性の高いリンクによって送信される。ＯＦＤＭ／ＯＦＤＭＡフレームのＤＬサブフレーム４０２は、通信されているダウンリンク・データを含む、さまざまな長さからなるＤＬバーストを含みうる。したがって、ＤＬ−ＭＡＰ４１４は、ダウンリンク・ゾーンに含まれるバーストの位置と、ダウンリンク・バーストの数のみならず、時間（すなわち、シンボル）方向および周波数（すなわち、サブチャネル）方向の両方におけるオフセットおよび長さを記述することができる。
【００４４】
同様に、ＵＬサブフレーム４０４は、通信されるアップリンク・データから構成されるさまざまなビット長さからなるＵＬバーストを含みうる。したがって、ダウンリンク・サブフレーム４０２における最初のバーストとして送信されるＵＬ−ＭＡＰ４１６は、異なるユーザのためのＵＬバーストの位置に関する情報を含みうる。ＵＬサブフレーム４０４は、図４Ａに例示するような追加の制御情報を含みうる。ＵＬサブフレーム４０４は、ＤＬハイブリッド自動反復要求アクノレッジ（ＨＡＲＱ  ＡＣＫ）をフィードバックするために移動局（ＭＳ）へ割り当てられるＵＬ  ＡＣＫ４１８と、および／または、チャネル品質インジケータ・チャネル（ＣＱＩＣＨ）でチャネル品質情報をフィードバックするためにＭＳへ割り当てられるＵＬ  ＣＱＩＣＨ４２０とを含みうる。さらに、ＵＬサブフレーム４０４は、ＵＬ  Ｒａｎｇｉｎｇサブチャネル４２２を備えうる。ＵＬ  Ｒａｎｇｉｎｇサブチャネル４２２は、帯域幅要求のみならず、閉ループ時間、周波数、および電力調節を行なうためにＭＳに割り当てられる。要するに、プリアンブル４０８、ＦＣＨ４１０、ＤＬ−ＭＡＰ４１４、およびＵＬ−ＭＡＰ４１６は、受信機３０４が受信信号を正しく復調することを可能にする情報を伝送しうる。
【００４５】
ＯＦＤＭＡの場合、ＤＬおよびＵＬにおける送信のために、異なる「モード」が使用されうる。あるモードが使用される時間領域のエリアは、一般にゾーンと称される。１つのタイプのゾーンは、ＤＬ−ＰＵＳＣ（ｄｏｗｎｌｉｎｋ  ｐａｒｔｉａｌ  ｕｓａｇｅ  ｏｆ  ｓｕｂｃｈａｎｎｅｌｓ）と称され、利用可能なすべてのサブチャネルを使用する訳ではない（すなわち、ＤＬ−ＰＵＳＣゾーンは、サブチャネルの特定のグループしか使用しない）。最大３つのセグメントに割り当てられうる合計６つのサブチャネル・グループが存在しうる。したがって、セグメントは、１から６までのサブチャネル・グループを含みうる（例えば、セグメント０が、最初の２つのサブチャネル・グループを含み、セグメント１が、次の２つのサブチャネル・グループを含み、セグメント２が、最後の２つのサブチャネル・グループを含みうる）。別のタイプのゾーンは、ＤＬ−ＦＵＳＣ（ｄｏｗｎｌｉｎｋ  ｆｕｌｌ  ｕｓａｇｅ  ｏｆ  ｓｕｂｃｈａｎｎｅｌｓ）と呼ばれる。ＤＬ−ＰＵＳＣとは異なり、ＤＬ−ＦＵＳＣは、セグメントを使用しないが、十分な周波数範囲にわたってすべてのバーストを分散させうる。
【００４６】
（典型的なＤＬ−ＭＡＰおよびＤＬ−ＭＡＰ  ＩＥ）  
図４ＡのＤＬ−ＭＡＰ４１４は、ＤＬ−ＭＡＰ４１４のおのおのの構成要素のビット長を例示する図５Ｂとともに、図５Ａにおいてより詳細に例示されている。ＤＬ−ＭＡＰ４１４は、８ビットの長さを有する管理メッセージ・タイプ５０２で始まっている。これは、制御メッセージがＤＬ−ＭＡＰであることを示すために２（００００００１０ｂ）の値を有する。管理メッセージ・タイプ５０２の後には、８ビットの長さであるフレーム持続時間コード５０４と、２４ビットの長さであるフレーム・ナンバとが続く。フレーム・ナンバ５０６の後には、８ビットの長さを有し、ＤＣＤ設定変更カウント値に一致するダウンリンク・チャネル・ディスクリプタ（ＤＣＤ）カウント５０８が続く。ＤＣＤメッセージは、セクタのダウンリンク・チャネル構成に適用されるべき物理レイヤおよび媒体アクセス制御（ＭＡＣ）レイヤに関連するパラメータを称する。ＤＣＤカウント５０８の後には、６バイト（４８ビット）の長さを有する基地局識別子（ＢＳＩＤ）５１０が続く。ＢＳＩＤ５１０は、ネットワーク内の基地局をユニークに識別し、その後には、ＤＬサブフレーム４０２内のＯＦＤＭＡシンボル数を示し、８ビットの長さを有するＤＬシンボル持続時間５１２が続く。
【００４７】
可変長を有する複数（ｎ個）のＤＬ−ＭＡＰ情報要素（ＩＥ）５１４が、ＤＬシンボル持続時間５１２に続く。一般的なＤＬ−ＭＡＰ  ＩＥ５１４は、ダウンリンク送信を定義するために、ダウンリンク・インタバル使用コード（ＤＩＵＣ）５１６、接続ＩＤリスト５１８、および、ＤＬバースト割当５２０（例えば、サブチャネル・オフセット、シンボル・オフセット、サブチャネル数、およびシンボル数）を備えうる。０乃至１２であるＤＩＵＣ５１６は、ＤＬ−ＭＡＰ  ＩＥがＤＬバースト・プロファイル（すなわち、バーストにおいて使用されている変調および符号化スキーム）を与えることを示し、１４または１５であるＤＩＵＣ５１６は、ＤＬ−ＭＡＰ  ＩＥが制御情報要素であることを示す。１３であるＤＩＵＣ５１６は、ＤＬ−ＭＡＰ  ＩＥが安全なゾーン（すなわち、ギャップ）およびピーク対平均電力比（ＰＡＰＲ）低減のために使用されることを示す。図５Ａでは示されていないが、ＤＬ−ＭＡＰ４１４のいくつかの実施形態は、ＤＬ−ＭＡＰ４１４のバイト境界に達するために４ビットの長さを有するパディングを含みうる。
【００４８】
（ＢＳの観点からの典型的なＤＬ−ＭＡＰ処理）  
既に説明および図示したように、ユーザ端末１０６は、ＤＬサブフレーム４０２の第２のシンボル（すなわち、プリアンブル４０８後の最初のシンボル）で始まるＤＬ−ＭＡＰ４１４を有するＯＦＤＭ／ＯＦＤＭＡフレーム４００を受信しうる。いくつかのフレームでは、ＤＬ−ＭＡＰ４１４は、いくつかのシンボルを占有しうる。ＤＬ−ＭＡＰ４１４に含まれるＤＬ−ＭＡＰ  ＩＥ５１４を解析および復号するための一般的な方法では、ユーザ端末１０６は、ＤＬ−ＭＡＰの解析を開始する前に、ＤＬ−ＭＡＰシンボルに関連付けられたすべてのビットが受信されるまで待機しうる。しかしながら、フレーム全体の処理は、ＤＬ−ＭＡＰ４１４の最後のシンボルからしか始まらないので、これは、ＤＬ−ＭＡＰを解析するために割り当てられたスケジュールをタイトにしうる。
【００４９】
したがって、ＤＬ−ＭＡＰ解析における時間制約を緩和するための技術および装置が必要とされる。
【００５０】
解決策を提案する前に、この問題の本質をさらに調査する必要がある。図６は、一般的な代表的なＤＬサブフレーム４０２を例示する。ここでは、ＤＬデータ・バースト６００は、ある順序に整えられている。データ・バースト６００は、ＢＳ１０４に位置するＭＡＰビルダによってＤＬサブフレーム４０２内に整えられ、分類およびスケジューリング情報にしたがって、ＯＦＤＭフレームまたはＯＦＤＭＡフレームを構築するために、物理レイヤ（ＰＨＹ）において動作しうる。しかしながら、これらのデータ・バースト６００を位置決めするためのＤＬ−ＭＡＰ  ＩＥ５１４は、データ・バーストの順序に関わらず、任意の順序で整えられうる。例えば、データ・バーストｉが、図６のＤＬサブフレーム４０２内のデータ・バーストｋよりも早く現れても、（データ・バーストｋを位置決めするために使用される）ＤＬ−ＭＡＰ  ＩＥ  ｋは、（データ・バーストｉを位置決めするために使用される）ＤＬ−ＭＡＰ  ＩＥ  ｉよりも前に現れる。また、この例は、単に２つのデータ・バースト６００しか含んでいない。ＤＬ−ＭＡＰ  ＩＥ５１４がより多く存在する場合でも、データ・バースト６００の、時間順に関するＤＬ−ＭＡＰ  ＩＥのシーケンスは、より離れて現れる。さらに、ＤＬ−ＭＡＰ４１４内には制御ＩＥも存在しうる。これは、データ・バーストを位置決めするためのＤＬ−ＭＡＰ  ＩＥの時間順に影響を与えうる。
【００５１】
しかしながら、ＤＬデータ・バースト６００を位置決めするためのＤＬ−ＭＡＰ  ＩＥ５１４が、基地局１０４によって、対応するデータ・バーストの時間順に一致するようにＤＬ−ＭＡＰ４１４内で整えられて、送信された場合、送信されたＯＦＤＭ／ＯＦＤＭＡフレームを受信するユーザ端末１０６は、ＤＬ−ＭＡＰ４１４を解析しながら、同時に、ＤＬデータ・バースト６００を復号しうる。このように、この特定のデータ・バーストに対応するＤＬ−ＭＡＰ  ＩＥ５１４が解析および復号され、第１のデータ・バーストが、ＤＬ−ＭＡＰのすべてが解析されるのを待つことなく、復号のために利用可能となると、ユーザ端末１０６は、第１のデータ・バースト６００（すなわち、最も早く受信されたデータ・バースト、または、最も早いシンボルを有するデータ・バースト）の復号を開始しうる。これによって、ＯＦＤＭ／ＯＦＤＭＡフレームの全体を処理するための時間が短縮され、もって、処理速度が高められる。
【００５２】
図７は、本開示のある実施形態にしたがって、フレーム内のＤＬデータ・バースト６００に対応するＤＬ−ＭＡＰ  ＩＥ５１４を有するＯＦＤＭ／ＯＦＤＭＡフレーム４００を時間順に送信するための動作７００の例のフロー・チャートである。動作７００は、７１０において、ＤＬ−ＭＡＰ４１４および複数のデータ・バースト６００を有するＯＦＤＭフレームまたはＯＦＤＭＡフレームを生成することによって始まる。データ・バースト６００は、フレーム内に、ある時間順序を持っている。これは、分類およびスケジューリング情報にしたがって、基地局１０４内のＭＡＰビルダによって決定されうる。いくつかの実施形態の場合、ＤＬデータ・バースト６００の時間順は、ＤＬサブフレーム４０２において、最も早い開始シンボルを有するデータ・バーストで始まり、最も遅い開始シンボルを有するデータ・バーストで終了するデータ・バーストのシーケンスとして考慮されうる。その他の実施形態の場合、ＤＬデータ・バースト６００の時間順は、ＤＬサブフレーム４０２において、最も早い終了シンボルを有するデータ・バーストで始まり、最も遅い終了シンボルを有するデータ・バーストで終了するデータ・バーストのシーケンスとして考慮されうる。
【００５３】
７２０では、ＤＬ−ＭＡＰ  ＩＥが、ＤＬ−ＭＡＰ４１４において、データ・バーストと同じ時間順を持つように、ＤＬデータ・バースト６００を位置決めするためのＤＬ−ＭＡＰ  ＩＥ５１４が整えられうる。言い換えれば、データ・バーストを位置決めするためのＤＬ−ＭＡＰ  ＩＥ５１４は、単一のフレーム内のデータ・バーストに時間的に対応しうる。
【００５４】
図８は、本開示のある実施形態にしたがって、ＤＬ−ＭＡＰ  ＩＥ５１４がＤＬデータ・バースト６００の時間順に対応するようにＤＬ−ＭＡＰ４１４内で整えられるＤＬサブフレーム４０２の例を示す。図８に図示するように、データ・バーストｉは、ＤＬサブフレーム４０２において、データ・バーストｋよりも早く現れる。これは、データ・バーストｉ、ｋの開始シンボルが、時間順を定義するものと見なされるか、あるいは、終了シンボルが考慮されているかに関わらず正しい。同様に、ＤＬ−ＭＡＰ  ＩＥ  ｉは、ＤＬ−ＭＡＰ４１４において、ＤＬ−ＭＡＰ  ＩＥ  ｋよりも前に現れる。
【００５５】
２つのデータ・バースト６００が、同じ開始シンボル（または、いくつかの実施形態では、同じ終了シンボル）を共有する場合、これら特有の２つのデータ・バーストに対応するＤＬ−ＭＡＰ  ＩＥ５１４の順序は、逆にすることが可能である。これは、ＤＬ−ＭＡＰ  ＩＥ  ｉが、ＤＬ−ＭＡＰ４１４において、他のＤＬ−ＭＡＰ  ＩＥ  ｋよりも早く現れるのであれば、ＤＬ−ＭＡＰ  ＩＥ  ｉによって割り当てられたデータ・バーストが、ＤＬ−ＭＡＰ  ＩＥ  ｋによって割り当てられたデータ・バーストｋの開始（または終了）よりも遅くならないシンボルから始まる（またはシンボルにおいて終わる）ことを意味する。このような２つのＤＬ−ＭＡＰ  ＩＥの順番を交換することは、以下により詳細に説明するように、ユーザ端末１０６においてＤＬ−ＭＡＰを解析しながら、データ・バーストを復号することにさほど影響を与えないだろう。
【００５６】
図７に戻って示すように、７２０において、ＯＦＤＭ／ＯＦＤＭＡフレーム４００が整えられると、７３０において、基地局１０４が、このフレームに基づいて信号を送信しうる。動作７００は、ＤＬデータ・バースト６００を含むすべてのＯＦＤＭ／ＯＦＤＭＡフレーム４００について反復されうる。
【００５７】
（ＭＸの観点からの典型的なＤＬ−ＭＡＰ処理）  
構築されたＯＦＤＭフレームまたはＯＦＤＭＡフレームに基づく信号が、基地局１０４によてブロードキャストされ、ユーザ端末１０６によって受信される。ユーザ端末１０６では、受信された信号が、例えば、ＭＡＰパーサが、ＤＬ−ＭＡＰ４１４およびこれに含まれるＤＬ−ＭＡＰ  ＩＥ５１４にしたがって、各ＤＬサブフレーム４０２内でＤＬデータ・バースト６００を位置決めできるように処理されうる。
【００５８】
図９は、本開示のある実施形態にしたがって、ＯＦＤＭ／ＯＦＤＭＡフレーム４００のＤＬ−ＭＡＰ４１４を解析しながらＤＬデータ・バースト復号を実行するための動作９００の例を示すフロー・チャートである。動作９００は、９１０において、ＤＬ−ＭＡＰ４１４および１または複数のＤＬデータ・バースト６００を有するＯＦＤＭ／ＯＦＤＭＡフレーム４００に基づいて信号を受信することによって始まる。図３に関して上述したように、ユーザ端末１０６は、デマッパ３１２’（デコーダ）を有する受信機３０４を含みうる。９１０で受信された信号は、受信機３０４において信号処理され、周波数領域データ１００２（例えば、図３の周波数領域シンボル・ストリーム３１６’）が生成される。これは、例えば、図１０に例示されるように、デマッパ３１２’によって、シンボル・マップにしたがって、データ・ストリームへ復号されうる。
【００５９】
９２０では、ＤＬ−ＭＡＰ４１４が解析され、これに含まれる１または複数のＤＬ−ＭＡＰ  ＩＥ５１４が判定される。ＭＡＰパーサ１００４は、データ・ストリーム・ビットを受信する。そして、ＤＬデータ・バースト６００を位置決めするために、ＤＬ−ＭＡＰ４１４を、さまざまな制御ＩＥおよびＤＬ−ＭＡＰ  ＩＥ５１４へ解析する。
【００６０】
９３０では、ＤＬ−ＭＡＰ４１４のうちの少なくとも一部が解析されながら、データ・バースト６００が、ＤＬ−ＭＡＰ  ＩＥ５１４の割当情報に基づいて復号されうる。データ・バースト６００は、データ・バースト・デコーダ１００６で復号され、これに含まれるデータ１００８が出力される。
【００６１】
図１１は、本開示のある実施形態にしたがって、単一のＯＦＤＭ／ＯＦＤＭＡフレーム４００のＤＬ−ＭＡＰ４１４のＤＬ−ＭＡＰ  ＩＥ５１４を解析しながら、ＤＬデータ・バースト６００を復号するための詳細な動作１１００の例のフロー・チャートである。動作１１００は、１１０２において、デコーダ（すなわち、デマッパ３１２’）から、ある数Ｎ個のビットを受信することによって始まる。ＭＡＰパーサ１００４が、ＤＬ−ＭＡＰ４１４を、個々のＤＬ−ＭＡＰ  ＩＥ５１４へ解析できるように、デコーダは、ＮビットをＭＡＰパーサ１００４へ出力しうる。パラメータＮは、少なくともＰＨＹレイヤ・デコーダのブロック・サイズをカバーするように選択されうる。
【００６２】
ＭＡＰパーサ１００４が、次のＮビットを受信すると、ＭＡＰパーサは、１００４において、完全にＤＬ−ＭＡＰ  ＩＥ５１４が受信されたかを判定しうる。受信されていない場合、ＭＡＰパーサ１００４は、１１０２においてデマッパ３１２’からさらにＮビットを受信しうる。このループは、ＭＡＰパーサ１００４が、完全にＤＬ−ＭＡＰ  ＩＥ５１４を受信するまで反復する。
【００６３】
１１０６では、ユーザ端末１０６は、恐らくＤＬ−ＭＡＰ  ＩＥ５１４のＣＩＤ５１８のリストに基づいて、解析されたＤＬ−ＭＡＰ  ＩＥ５１４が、このユーザ端末を対象とするものであるかを判定する。ＤＬ−ＭＡＰ  ＩＥ５１４が、このユーザ端末１０６による使用が意図されていない場合、ＭＡＰパーサ１００４は、１１０２において、デコーダから次のＮビットを取得しうる。解析されたＤＬ−ＭＡＰ  ＩＥ５１４がこのユーザ端末１０６のために意図されている場合、１１０８において、ユーザ端末は、解析されたＤＬ−ＭＡＰ  ＩＥがデータ・バースト割当であるか否かを判定しうる。
【００６４】
解析されたＤＬ−ＭＡＰ  ＩＥ５１４がデータ・バースト割当ではない場合、ＤＬ−ＭＡＰ  ＩＥは、制御ＩＥでありうる。１１１０では、この制御ＩＥが、メモリに格納されうる。
【００６５】
解析されたＤＬ−ＭＡＰ  ＩＥ５１４が、１１０８において、データ・バースト割当であると判定された場合、ユーザ端末１０６は、１１１２において、対応するデータ・バースト６００が、デコーダの出力において利用可能であると判定しうる。データ・バースト６００が、デコーダ出力において利用可能ではない場合、データ・バースト・デコーダ１００６は、このデータ・バーストが利用可能になるまで、ＩＥを一時的に格納しうる。しかしながら、データ・バースト６００が利用可能である場合、データ・バースト・デコーダ１００６は、１１１４において、データ・バーストを復号しうる。いくつかの実施形態の場合、データ・バースト・デコーダ１００６は、ＤＬ−ＭＡＰ４１４のすべてが解析されたかに関わらず、データ・バーストが利用可能になるや否や、データ・バーストを復号しうる。言い換えれば、ユーザ端末１０６は、ＤＬ−ＭＡＰ解析が完了する前に、データ・バースト６００の復号を開始しうる。
【００６６】
１１１６では、ユーザ端末１０６が、１１１４においてデータ・バースト６００が正しく復号されたかを判定しうる。この復号チェックは、例えば、復号されたデータ・バーストのヘッダ・チェック・シーケンス（ＨＣＳ）またはＭＡＣプロトコル・データ・ユニット（ＭＰＤＵ）巡回冗長検査（ＣＲＣ）をチェックすることによって実行されうる。データ・バースト６００が正しく復号されたと判定された場合、データ・バースト内に含まれるデータ１００８が、１１１８において、格納されうる。しかしながら、データ・バースト６００が、正しく復号されなかった場合、データ１００８またはデータ・バーストは、１１２０においてドロップされうる。
【００６７】
１１２２では、ＭＡＰパーサ１００４に利用可能な、受信されるべきビットがさらにある場合、ＭＡＰパーサは、１１０２において、次のＮビットを受信し、上述した動作１１００は、１１２２においてさらに多くのビットが利用可能であるかを判定することまで反復する。これらの動作を反復することによって、データ・バースト６００のすべてを同時に復号しながら、あるいは、少なくとも、データ・バーストが利用可能になるや否や、（制御ＩＥと、データ・バーストを位置決めするためのＩＥとの両方を含む）ＤＬ−ＭＡＰ  ＩＥ５１４のすべてが解析されうる。
【００６８】
デコーダからのビットがなくなると、１１２４において、ＭＡＰパーサ１００４が、ＤＬ−ＭＡＰ４１４のＣＲＣに合格したかを判定しうる。ＣＲＣに合格すると、１１２６において、すべての格納された制御ＩＥと格納されたデータとが、オープン・システム・インタコネクション（ＯＳＩ）基準モデルにしたがって、（例えば、ＭＡＣサブレイヤやネットワーク・レイヤのような）適切なレイヤへ転送されうる。合格しなかった場合、１１２８において、すべての情報（例えば、格納された制御ＩＥおよび格納されたデータ）が破棄されうる。
【００６９】
図１２Ａおよび図１２Ｂは、上述したように、ユーザ端末１０６がＤＬ−ＭＡＰ  ＩＥを同時に解析しながらデータ・バースト復号を実行できるように、基地局において、ＤＬ−ＭＡＰ  ＩＥ５１４を、ＤＬデータ・バースト６００に時間的に対応するように整えることの処理速度の利点を例示する。図１２Ａは、図６に表したＤＬサブフレーム４０２の例を示し、図１２Ｂは、図８に表したＤＬサブフレーム４０２の例を示す。
【００７０】
ＤＬ−ＭＡＰ４１４におけるＤＬ−ＭＡＰ  ＩＥ５１４のシーケンスがＤＬサブフレーム４０２内のＤＬデータ・バースト６００の時間順に対応しない図１２Ａを参照すると、１２０２において、ユーザ端末１０６が、ＤＬ−ＭＡＰ  ＩＥ  iおよびｋの解析／復号を開始しうる。１２０４では、ユーザ端末１０６が、ＤＬ−ＭＡＰ  ＩＥ  ｉおよびｋの解析／復号を完了し、データ・バーストｉの復号を開始しうる。図１２ＡのＤＬサブフレーム４０２の例では、ユーザ端末１０６は、ＤＬ−ＭＡＰが完全に解析されるまで、データ・バーストは、復号を開始することができない。１２０６では、ユーザ端末は、データ・バーストｉの復号を終了し、データ・バーストｋの復号を開始しうる。１２０８では、ユーザ端末は、データ・バーストｋの復号を終了しうる。
【００７１】
しかしながら、ＤＬ−ＭＡＰ  ＩＥ５１４が、ＤＬサブフレーム４０２内のシンボル順にしたがってＤＬデータ・バースト６００に時間的に対応する図１２Ｂでは、データ・バースト復号は、早めに開始されるので、データ・バーストのすべてが、図１２ＡのＤＬサブフレーム構成におけるよりも迅速に復号されうる。したがって、本開示の実施形態にしたがって構成されたＤＬサブフレーム４０２は、ＤＬ−ＭＡＰ４１４の解析、および／または、ＤＬサブフレームの残りの部分の処理のために時間制約が緩和されるのみならず、処理速度上の利点を享受するであろう。
【００７２】
図１２Ｂでは、（図１１の１１０４において例示されるように）完全にＤＬ−ＭＡＰ  ＩＥ  ｉが受信されると、ユーザ端末１０６が、１２１０において、ＤＬ−ＭＡＰ  ＩＥ  ｉの解析／復号を開始しうる。１２１２において、（図１１の１１１２に例示するように）データ・バーストが利用可能になると、ユーザ端末１０６が、ＤＬ−ＭＡＰ  ＩＥ  ｉの解析／復号を完了し、データ・バーストｉの復号を開始しうる。データ・バーストｉの復号は、ＤＬ−ＭＡＰ  ＩＥ  ｋが解析／復号される前、および、データ・バーストｋが受信される前に始まっていることに注目されたい。図１２ＢのＤＬサブフレーム４０２の例を用いると、第１のデータ・バーストが受信され、第１のデータ・バーストを位置決めするためのＤＬ−ＭＡＰ  ＩＥ５１４がＤＬ−ＭＡＰ４１４から解析されるや否や、ユーザ端末１０６は、データ・バーストの復号を開始しうる。ＯＦＤＭ／ＯＦＤＭＡフレーム４００の全体が、早期に完全に処理されるので、ＤＬ−ＭＡＰ４１４の解析を続けながら、データ・バーストの復号を早めに開始し、データ・バースト復号を可能にすることによって、処理速度の増加を与えうる。
【００７３】
１２１４では、ユーザ端末１０６が、データ・バーストｉの復号を終了し、ＩＥ  ｋが受信されると、ＤＬ−ＭＡＰ  ＩＥ  ｋの解析／復号を開始しうる。１２１６では、ユーザ端末は、ＤＬ−ＭＡＰ  ＩＥ  ｋの解析／復号を終了し、このデータ・バーストが利用可能になると、データ・バーストｋの復号を開始しうる。１２１８では、ユーザ端末１０６は、図１２Ａの１２０８におけるよりも著しく速く、データ・バーストｋの復号を終了しうる。
【００７４】
図１２Ａおよび図１２Ｂでは、一定のデータ・バーストを復号する時間は一定である。したがって、データ・バーストｉを復号するための時間（すなわち、１２０４と１２０６の間の時間、および、１２１２と１２１４との間の時間）は一定であり、データ・バーストｋを復号するための時間（すなわち、１２０６と１２０８との間の時間、および、１２１６と１２１８との間の時間）は一定である。さらに、特定のＤＬ−ＭＡＰ  ＩＥを解析／復号する時間は一定である。したがって、図１２Ａおよび図１２Ｂにおいて、ＤＬ−ＭＡＰ  ＩＥ  ｉおよびｋを解析するための合計時間は一定である（すなわち、１２０２と１２０４との間の時間は、１２１０と１２１２との間の時間と、１２１４と１２１６との間の時間との合計に等しい）。したがって、図１２Ａと図１２Ｂとにおける処理時間差は、ＤＬ−ＭＡＰ  ＩＥ  ｋのための解析時間である。これは、図１２Ｂでは省かれる。なぜなら、第１のＤＬ−ＭＡＰ  ＩＥが解析および復号された後にデータ・バースト復号が始まり、ＤＬ−ＭＡＰ４１４の解析を続けながら継続するからである。ＤＬ−ＭＡＰ  ＩＥ５１４を追加することによって、第１のＤＬ−ＭＡＰ  ＩＥ後、ＤＬ−ＭＡＰ  ＩＥのおのおのの合計解析時間まで、時間節約が潜在的に高められる。
【００７５】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。一般に、対応するｍｅａｎｓ−ｐｌｕｓ−ｆｕｎｃｉｔｏｎ図面を有する図面に例示された方法が存在する場合、動作ブロックは、同一番号が付されたｍｅａｎｓ−ｐｌｕｓ−ｆｕｎｃｉｔｏｎブロックに対応する。例えば、図７に例示するブロック７１０−７３０は、図７Ａに例示するｍｅａｎｓ−ｐｕｌｓ−ｆｕｎｃｔｉｏｎブロック７１０Ａ−７３０Ａに対応し、図９の例示するブロック９１０−９３０は、図９Ａに例示するｍｅａｎｓ−ｐｕｌｓ−ｆｕｎｃｔｉｏｎブロック９１０Ａ−９３０Ａに対応する。
【００７６】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００７７】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００７８】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００７９】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８０】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８１】
説明された機能を、ハードウェア、ソフトウェア、ファームウェア、またはその任意の組合せで実施することができる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００８２】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８３】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８４】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
以下に、本願出願の当初の特許請求の範囲に記載された発明を付記する。
［Ｃ１］
直交周波数分割多重（ＯＦＤＭ）または直交周波数分割多元接続（ＯＦＤＭＡ）による無線通信のための方法であって、
時間順を持つ複数のデータ・バースト、および、ダウンリンク・マップ（ＤＬ−ＭＡＰ）を有するＯＦＤＭフレームまたはＯＦＤＭＡフレームを生成することと、
データ・バーストを位置決めするための複数のＤＬ−ＭＡＰ情報要素（ＩＥ）を、前記データ・バーストと同じ時間順を前記ＤＬ−ＭＡＰにおいて有するように整えることと、
前記整えられたＤＬ−ＭＡＰ  ＩＥを持つＯＦＤＭフレームまたはＯＦＤＭＡフレームに基づいて信号を送信することと
を備える方法。
［Ｃ２］
前記データ・バーストの時間順は、前記データ・バーストの開始シンボルに基づくＣ１に記載の方法。
［Ｃ３］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ２に記載の方法。
［Ｃ４］
前記第１のＤＬ−ＭＡＰ  ＩＥは、前記第２のＤＬ−ＭＡＰ  ＩＥよりも早く、前記ＤＬ−ＭＡＰ内に整えられるＣ３に記載の方法。
［Ｃ５］
前記データ・バーストの時間順は、前記データ・バーストの終了シンボルに基づくＣ１に記載の方法。
［Ｃ６］
直交周波数分割多重（ＯＦＤＭ）または直交周波数分割多元接続（ＯＦＤＭＡ）による無線通信のためのコンピュータ・プログラム製品であって、前記コンピュータ・プログラム製品は、格納された命令群を有するコンピュータ読取可能媒体を備え、前記命令群は、１または複数のプロセッサによって実行されることが可能であり、前記命令群は、
時間順を持つ複数のデータ・バースト、および、ダウンリンク・マップ（ＤＬ−ＭＡＰ）を有するＯＦＤＭフレームまたはＯＦＤＭＡフレームを生成するための命令群と、
データ・バーストを位置決めするための複数のＤＬ−ＭＡＰ情報要素（ＩＥ）を、データ・バーストと同じ時間順を前記ＤＬ−ＭＡＰにおいて有するように整えるための命令群と、
前記整えられたＤＬ−ＭＡＰ  ＩＥを持つＯＦＤＭフレームまたはＯＦＤＭＡフレームに基づいて信号を送信するための命令群と
を備えるコンピュータ・プログラム製品。
［Ｃ７］
前記データ・バーストの時間順は、前記データ・バーストの開始シンボルに基づくＣ６に記載のコンピュータ・プログラム製品。
［Ｃ８］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ７に記載のコンピュータ・プログラム製品。
［Ｃ９］
前記第１のＤＬ−ＭＡＰ  ＩＥは、前記第２のＤＬ−ＭＡＰ  ＩＥよりも早く、前記ＤＬ−ＭＡＰ内に整えられるＣ８に記載のコンピュータ・プログラム製品。
［Ｃ１０］
前記データ・バーストの時間順は、前記データ・バーストの終了シンボルに基づくＣ６に記載のコンピュータ・プログラム製品。
［Ｃ１１］
直交周波数分割多重（ＯＦＤＭ）または直交周波数分割多元接続（ＯＦＤＭＡ）による無線通信のための装置であって、
時間順を持つ複数のデータ・バースト、および、ダウンリンク・マップ（ＤＬ−ＭＡＰ）を有するＯＦＤＭフレームまたはＯＦＤＭＡフレームを生成する手段と、
データ・バーストを位置決めするための複数のＤＬ−ＭＡＰ情報要素（ＩＥ）を、データ・バーストと同じ時間順を前記ＤＬ−ＭＡＰにおいて有するように整える手段と、
前記整えられたＤＬ−ＭＡＰ  ＩＥを持つＯＦＤＭフレームまたはＯＦＤＭＡフレームに基づいて信号を送信する手段と
を備える装置。
［Ｃ１２］
前記データ・バーストの時間順は、前記データ・バーストの開始シンボルに基づくＣ１１に記載の装置。
［Ｃ１３］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ１２に記載の装置。
［Ｃ１４］
前記第１のＤＬ−ＭＡＰ  ＩＥは、前記第２のＤＬ−ＭＡＰ  ＩＥよりも早く、前記ＤＬ−ＭＡＰ内に整えられるＣ１３に記載の装置。
［Ｃ１５］
前記データ・バーストの時間順は、前記データ・バーストの終了シンボルに基づくＣ１１に記載の装置。
［Ｃ１６］
直交周波数分割多重（ＯＦＤＭ）または直交周波数分割多元接続（ＯＦＤＭＡ）による無線通信のための無線デバイスであって、
時間順を持つ複数のデータ・バースト、および、ダウンリンク・マップ（ＤＬ−ＭＡＰ）を有するＯＦＤＭフレームまたはＯＦＤＭＡフレームを生成するためのロジックと、
データ・バーストを位置決めするための複数のＤＬ−ＭＡＰ情報要素（ＩＥ）を、データ・バーストと同じ時間順を前記ＤＬ−ＭＡＰにおいて有するように整えるためのロジックと、
前記整えられたＤＬ−ＭＡＰ  ＩＥを持つＯＦＤＭフレームまたはＯＦＤＭＡフレームに基づいて信号を送信するように構成された送信機フロント・エンドと
を備える無線デバイス。
［Ｃ１７］
前記データ・バーストの時間順は、前記データ・バーストの開始シンボルに基づくＣ１６に記載の無線デバイス。
［Ｃ１８］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ１７に記載の無線デバイス。
［Ｃ１９］
前記第１のＤＬ−ＭＡＰ  ＩＥは、前記第２のＤＬ−ＭＡＰ  ＩＥよりも早く、前記ＤＬ−ＭＡＰ内に整えられるＣ１８に記載の無線デバイス。
［Ｃ２０］
前記データ・バーストの時間順は、前記データ・バーストの終了シンボルに基づくＣ１６に記載の無線デバイス。
［Ｃ２１］
直交周波数分割多重（ＯＦＤＭ）または直交周波数分割多元接続（ＯＦＤＭＡ）による無線通信の方法であって、
１または複数のデータ・バーストおよびダウンリンク・マップ（ＤＬ−ＭＡＰ）を有するＯＦＤＭフレームまたはＯＦＤＭＡフレームに基づいて信号を受信することと、
含まれる１または複数のＤＬ−ＭＡＰ情報要素（ＩＥ）を判定するために前記ＤＬ−ＭＡＰを解析することと、
前記ＤＬ−ＭＡＰのうちの少なくとも一部を解析しながら、前記ＤＬ−ＭＡＰ  ＩＥに基づいてデータ・バーストを復号することと
を備える方法。
［Ｃ２２］
前記ＤＬ−ＭＡＰ  ＩＥは、前記データ・バーストに時間的に対応しているＣ２１に記載の方法。
［Ｃ２３］
前記ＤＬ−ＭＡＰ  ＩＥは、前記データ・バーストの開始シンボルに基づいて前記データ・バーストに時間的に対応しているＣ２２に記載の方法。
［Ｃ２４］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ２３に記載の方法。
［Ｃ２５］
前記第１のＤＬ−ＭＡＰ  ＩＥは、前記第２のＤＬ−ＭＡＰ  ＩＥよりも早く、前記ＤＬ−ＭＡＰ内に整えられるＣ２４に記載の方法。
［Ｃ２６］
前記ＤＬ−ＭＡＰ  ＩＥは、前記データ・バーストの終了シンボルに基づいて前記データ・バーストに時間的に対応しているＣ２２に記載の方法。
［Ｃ２７］
前記データ・バーストから正しく復号されたデータを格納することと、
巡回冗長検査（ＣＲＣ）に合格した場合、前記格納されたデータを、１または複数のオープン・システム・インタコネクション（ＯＳＩ）基準モデル・レイヤに転送することと、
前記ＣＲＣに不合格になった場合、前記格納されたデータを破棄することと
をさらに備えるＣ２１に記載の方法。
［Ｃ２８］
直交周波数分割多重（ＯＦＤＭ）または直交周波数分割多元接続（ＯＦＤＭＡ）による無線通信のためのコンピュータ・プログラム製品であって、前記コンピュータ・プログラム製品は、格納された命令群を有するコンピュータ読取可能媒体を備え、前記命令群は、１または複数のプロセッサによって実行されることが可能であり、前記命令群は、
１または複数のデータ・バーストおよびダウンリンク・マップ（ＤＬ−ＭＡＰ）を有するＯＦＤＭフレームまたはＯＦＤＭＡフレームに基づいて信号を受信するための命令群と、
データ・バーストを位置決めするために含まれる１または複数のＤＬ−ＭＡＰ情報要素（ＩＥ）を判定するために、前記ＤＬ−ＭＡＰを解析するための命令群と、
前記ＤＬ−ＭＡＰのうちの少なくとも一部を解析しながら、前記ＤＬ−ＭＡＰ  ＩＥに基づいてデータ・バーストを復号するための命令群と
を備えるコンピュータ・プログラム製品。
［Ｃ２９］
前記ＤＬ−ＭＡＰ  ＩＥは、前記データ・バーストに時間的に対応しているＣ２８に記載のコンピュータ・プログラム製品。
［Ｃ３０］
前記ＤＬ−ＭＡＰ  ＩＥは、前記データ・バーストの開始シンボルに基づいて前記データ・バーストに時間的に対応しているＣ２９に記載のコンピュータ・プログラム製品。
［Ｃ３１］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ３０に記載のコンピュータ・プログラム製品。
［Ｃ３２］
前記第１のＤＬ−ＭＡＰ  ＩＥは、前記第２のＤＬ−ＭＡＰ  ＩＥよりも早く、前記ＤＬ−ＭＡＰ内に整えられるＣ３１に記載のコンピュータ・プログラム製品。
［Ｃ３３］
前記ＤＬ−ＭＡＰ  ＩＥは、前記データ・バーストの終了シンボルに基づいて前記データ・バーストに時間的に対応しているＣ２９に記載のコンピュータ・プログラム製品。
［Ｃ３４］
前記データ・バーストから正しく復号されたデータを格納するための命令群と、
巡回冗長検査（ＣＲＣ）に合格した場合、前記格納されたデータを、１または複数のオープン・システム・インタコネクション（ＯＳＩ）基準モデル・レイヤに転送するための命令群と、
前記ＣＲＣに不合格になった場合、前記格納されたデータを破棄するための命令群と
をさらに備えるＣ２８に記載のコンピュータ・プログラム製品。
［Ｃ３５］
直交周波数分割多重（ＯＦＤＭ）または直交周波数分割多元接続（ＯＦＤＭＡ）による無線通信のための装置であって、
１または複数のデータ・バーストおよびダウンリンク・マップ（ＤＬ−ＭＡＰ）を有するＯＦＤＭフレームまたはＯＦＤＭＡフレームに基づいて信号を受信する手段と、
データ・バーストを位置決めするために含まれる１または複数のＤＬ−ＭＡＰ情報要素（ＩＥ）を判定するために、前記ＤＬ−ＭＡＰを解析する手段と、
前記ＤＬ−ＭＡＰのうちの少なくとも一部を解析しながら、前記ＤＬ−ＭＡＰ  ＩＥに基づいてデータ・バーストを復号する手段と
を備える装置。
［Ｃ３６］
前記ＤＬ−ＭＡＰ  ＩＥは、前記データ・バーストに時間的に対応しているＣ３５に記載の装置。
［Ｃ３７］
前記ＤＬ−ＭＡＰ  ＩＥは、前記データ・バーストの開始シンボルに基づいて前記データ・バーストに時間的に対応しているＣ３６に記載の装置。
［Ｃ３８］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ３７に記載の装置。
［Ｃ３９］
前記第１のＤＬ−ＭＡＰ  ＩＥは、前記第２のＤＬ−ＭＡＰ  ＩＥよりも早く、前記ＤＬ−ＭＡＰ内に整えられるＣ３８に記載の装置。
［Ｃ４０］
前記ＤＬ−ＭＡＰ  ＩＥは、前記データ・バーストの終了シンボルに基づいて前記データ・バーストに時間的に対応しているＣ３６に記載の装置。
［Ｃ４１］
前記データ・バーストから正しく復号されたデータを格納する手段と、
巡回冗長検査（ＣＲＣ）に合格した場合、前記格納されたデータを、１または複数のオープン・システム・インタコネクション（ＯＳＩ）基準モデル・レイヤに転送する手段と、
前記ＣＲＣに不合格になった場合、前記格納されたデータを破棄する手段と
をさらに備えるＣ３５に記載の装置。
［Ｃ４２］
直交周波数分割多重（ＯＦＤＭ）または直交周波数分割多元接続（ＯＦＤＭＡ）による無線通信のための無線デバイスであって、
１または複数のデータ・バーストおよびダウンリンク・マップ（ＤＬ−ＭＡＰ）を有するＯＦＤＭフレームまたはＯＦＤＭＡフレームに基づいて信号を受信するように構成された受信機フロント・エンドと、
データ・バーストを位置決めするために含まれる１または複数のＤＬ−ＭＡＰ情報要素（ＩＥ）を判定するために、前記ＤＬ−ＭＡＰを解析するように構成されたＭＡＰパーサと、
前記ＤＬ−ＭＡＰのうちの少なくとも一部を解析しながら、前記ＤＬ−ＭＡＰ  ＩＥに基づいてデータ・バーストを復号するように構成されたデータ・バースト・デコーダと
を備える無線デバイス。
［Ｃ４３］
前記ＤＬ−ＭＡＰ  ＩＥは、前記データ・バーストに時間的に対応しているＣ４２に記載の無線デバイス。
［Ｃ４４］
前記ＤＬ−ＭＡＰ  ＩＥは、前記データ・バーストの開始シンボルに基づいて前記データ・バーストに時間的に対応しているＣ４３に記載の無線デバイス。
［Ｃ４５］
第１のデータ・バーストは、第２のデータ・バーストよりも早い開始シンボルを有し、前記第１のデータ・バーストを位置決めするための第１のＤＬ−ＭＡＰ  ＩＥは、前記第２のデータ・バーストを位置決めするための第２のＤＬ−ＭＡＰ  ＩＥよりも遅くならないように前記ＤＬ−ＭＡＰ内に整えられるＣ４４に記載の無線デバイス。
［Ｃ４６］
前記第１のＤＬ−ＭＡＰ  ＩＥは、前記第２のＤＬ−ＭＡＰ  ＩＥよりも早く、前記ＤＬ−ＭＡＰ内に整えられるＣ４５に記載の無線デバイス。
［Ｃ４７］
前記ＤＬ−ＭＡＰ  ＩＥは、前記データ・バーストの終了シンボルに基づいて前記データ・バーストに時間的に対応しているＣ４３に記載の無線デバイス。
［Ｃ４８］
前記データ・バーストから正しく復号されたデータを格納するためのメモリと、
巡回冗長検査（ＣＲＣ）に合格した場合、前記格納されたデータを、１または複数のオープン・システム・インタコネクション（ＯＳＩ）基準モデル・レイヤに転送するためのロジックと、
前記ＣＲＣに不合格になった場合、前記格納されたデータを破棄するためのロジックと
をさらに備えるＣ４２に記載の無線デバイス。
【図１】
0005524386.tif 000002
【図２】
0005524386.tif 000003
【図３】
0005524386.tif 000004
【図４Ａ】
0005524386.tif 000005
【図４Ｂ】
0005524386.tif 000006
【図５Ａ】
0005524386.tif 000007
【図５Ｂ】
0005524386.tif 000008
【図６】
0005524386.tif 000009
【図７】
0005524386.tif 000010
【図７Ａ】
0005524386.tif 000011
【図８】
0005524386.tif 000012
【図９】
0005524386.tif 000013
【図９Ａ】
0005524386.tif 000014
【図１０】
0005524386.tif 000015
【図１１】
0005524386.tif 000016
【図１２】
0005524386.tif 000017